(57)【要約】      （修正有）【課題】播種作業の効率化が可能な種子交換式播種機の残種子回収機構等を提供する。【解決手段】種子交換式播種機の残種子回収機構であって、播種機に配置され各条毎に設けられた播種部と、播種機の前記播種部よりも下部に配置された円筒状の回収樋であって、播種部から落下する種子のうち播種されずに残った残種子を受け入れて収容し、回収樋の一端側は、他端側を回動軸として上方に持ち上げ可能とされた回収樋と、回収樋の少なくとも他端側の開口を開閉可能に塞ぐ蓋部と、を有する。【選択図】図２
0003218549.tif 000002
【実用新案登録請求の範囲】
【請求項１】
種子交換式播種機の残種子回収機構であって、
播種機に配置され各条毎に設けられた播種部と、
播種機の前記播種部よりも下部に配置された円筒状の回収樋であって、前記播種部から落下する種子のうち播種されずに残った残種子を受け入れて収容し、前記回収樋の一端側は、他端側を回動軸として上方に持ち上げ可能とされた回収樋と、
前記回収樋の少なくとも他端側の開口を開閉可能に塞ぐ蓋部と、を有する種子交換式播種機の残種子回収機構。
【請求項２】
前記播種部は、
種子を収容し、回転軸を中心に回動可能なホッパーと、
前記ホッパーを回動させた際に、残種子を受け入れる第１の開口部を有する残種子集約部であって、下方に残種子を導入する第２の開口部を有する残種子集約部と、を有し、
前記回収樋は、前記第２の開口部から落下する残種子を受ける受け漏斗部を備えることを特徴とする請求項１に記載の種子交換式播種機の残種子回収機構。
【請求項３】
前記一端側には、前記回収樋を支持する支持部が設けられている請求項１又は２に記載の種子交換式播種機の残種子回収機構。
【請求項４】
前記残種子集約部は、各条用の播種部の後部に配置されている請求項２又は３に記載の種子交換式播種機の残種子回収機構。
【請求項５】
前記回収樋の前記他端側の開口を固定可能に塞ぐ開口部を有する回収ボトルを取り付ける回収ボトル取り付け部を有する請求項２から４までのいずれか１項に記載の種子交換式播種機の残種子回収機構。
【請求項６】
前記残種子集約部と前記回収樋とを、前記残種子集約部の前記第１の開口部が前記受け漏斗部の受け部領域内に入るように固定する固定部を有する請求項２から５までのいずれか１項に記載の種子交換式播種機の残種子回収機構。
【請求項７】
前記残種子集約部に、鉛直方向を基準とした前記ホッパーの傾きが大きくなるに従って近づく前記ホッパーを収容するホッパー収容部が形成されている請求項２から６までのいずれか１項に記載の種子交換式播種機の残種子回収機構。
【請求項８】
前記残種子集約部に、前記残種子集約部の側部周面を囲むように把持するリング状の留め具と、前記留め具を固定する支柱とが設けられていることを特徴とする請求項２から７までのいずれか１項に記載の残種子回収機構。
【請求項９】
残種子回収機構を有する種子交換式播種機であって、
播種機に配置され各条毎に設けられた播種部と、
播種機の前記播種部よりも下部に配置された円筒状の回収樋であって、前記播種部から落下する種子のうち播種されずに残った残種子を受け入れて収容し、前記回収樋の一端側は、他端側を回動軸として上方に持ち上げ可能とされた回収樋と、
前記回収樋の少なくとも前記他端側の開口を開閉可能に塞ぐ蓋部と、を有する種子交換式播種機。
【請求項１０】
前記播種部は、
種子を収容し、回転軸を中心に回動可能なホッパーと、
前記ホッパーを回動させた際に、残種子を受け入れる第１の開口部を有する残種子集約部であって、下方に残種子を導入する第２の開口部を有する残種子集約部と、を有し、
前記回収樋は、前記第２の開口部から落下する残種子を受ける受け漏斗部を備えることを特徴とする請求項９に記載の種子交換式播種機。
【考案の詳細な説明】
【技術分野】
【０００１】
本考案は、種子交換式播種機の残種子回収機構等に関する。
【背景技術】
【０００２】
種子を点播する播種装置としては、特許文献１に開示されているように、外周面に多数の種子収納凹部を有する播種ロールと、この播種ロールの外周面と協働して種子を溜めていて前記種子収納凹部に種子を供給するホッパーとを機構フレームに設け、前記播種ロールを回転させて、その下方を移動する育苗箱に種子を落下供給するように構成されている装置が知られている。
【先行技術文献】
【特許文献】
【０００３】
【特許文献１】特開平２−２１９５０９号公報
【考案の概要】
【考案が解決しようとする課題】
【０００４】
ところで、例えば、平成２８年度の日本における小麦の品目別自給率（重量ベース）は１２％と極めて低かった。日本における小麦の収穫期は梅雨時と重なっており、湿度が高く小麦の品質に影響を与える。また、赤かび病が発生する可能性もある。従って、小麦の主要生産国と比較して栽培に関して厳しい気候下にあるといえる。
【０００５】
考案者らは、日本で初めてのデュラム小麦新品種「セトデュール」を育成するなど、日本の気候風土に適した品種の育成に努めてきた。このような幅広い品種の育成のためには効率的な育種研究の推進が必要である。
【０００６】
その土台をなす生産力検定のために、ドリル播による１００程度の小区画（６ｍ×４条）試験を行っている。このような試験を行うためには、播種作業のより一層の効率化が望まれている。
【０００７】
本考案は、播種作業の効率化が可能な種子交換式播種機の残種子回収機構等を提供することを目的とする。
【課題を解決するための手段】
【０００８】
本考案の一観点によれば、種子交換式播種機の残種子回収機構であって、播種機に配置され各条毎に設けられた播種部と、播種機の前記播種部よりも下部に配置された円筒状の回収樋であって、前記播種部から落下する種子のうち播種されずに残った残種子を受け入れて収容し、前記回収樋の一端側は、他端側を回動軸として上方に持ち上げ可能とされた回収樋と、前記回収樋の少なくとも他端側の開口を開閉可能に塞ぐ蓋部と、を有する種子交換式播種機の残種子回収機構が提供される。
【０００９】
上記構成によれば、前記回収樋に溜まった残種子を前記回収樋の一端側を把持して上方に持ち上げ、前記他端側の蓋部を外して開口することにより自動的に落下させ、残種子を簡単に回収することができる。
この操作により種子ホッパー内の種子を異なる種子に入れ替える動作がスムーズになる。
【００１０】
前記播種部は、種子を収容し、回転軸を中心に回動可能なホッパーと、前記ホッパーを回動させて前記ホッパーの開口から種子が落下する状態とした際に、残種子を受け入れる第１の開口部を有する残種子集約部であって、下方に残種子を導入する第２の開口部を有する残種子集約部と、を有し、前記回収樋は、前記第２の開口部から落下する残種子を受ける受け漏斗部を備えることを特徴とする。
【００１１】
上記構成によれば、ホッパーに残った種子を排出し、集める機構を簡単に構成することができる。
前記一端側には、前記回収樋を支持する支持部が設けられていることが好ましい。
前記回収樋の受け部は、回収樋受け部長辺子方向に直角に貫通した軸を支点にして、軸と反対側を持ち上げることが可能な構造になっている。
前記残種子集約部は、各条用の播種部の後部に配置されていることが好ましい。
これにより、各条毎に個別に種子を排出することができる。
【００１２】
前記回収樋の前記他端側の開口を固定可能に塞ぐ開口部を有する回収ボトルを取り付ける回収ボトル取り付け部を有するようにすると良い。
前記残種子集約部と前記回収樋とを、前記残種子集約部の前記第１の開口部が前記受け漏斗部の受け部領域内に入るように固定する固定部を有するようにしても良い。
【００１３】
また、前記残種子集約部の、第１の開口部側部周面を囲むように把持するリング状の留め具と、前記留め具を固定する支柱とが設けられていると良い。
また、前記残種子集約部に、前記ホッパーの傾きに応じて近づく前記ホッパーと前記残種子集約部との重なりを受容するホッパー受け入れ溝が形成されていると良い。
【００１４】
本考案は、残種子回収機構を有する種子交換式播種機であって、播種機に配置され各条毎に設けられた播種部と、播種機の前記播種部よりも下部に配置された円筒状の回収樋であって、前記播種部から落下する種子のうち播種されずに残った残種子を受け入れて収容し、前記回収樋の一端側は、他端側を回動軸として上方に持ち上げ可能とされた回収樋と、前記回収樋の少なくとも他端側の開口を開閉可能に塞ぐ蓋部と、を有する種子交換式播種機である。
【００１５】
前記播種部は、種子を収容し、回転軸を中心に回動可能なホッパーと、前記ホッパーを回動させて前記ホッパーの開口から種子が落下する状態とした際に、残種子を受け入れる第１の開口部を有する残種子集約部であって、下方に残種子を導入する第２の開口部を有する残種子集約部と、を有し、前記回収樋は、前記第２の開口部から落下した残種子を受ける受け漏斗部を備えることを特徴とする。
【考案の効果】
【００１６】
本考案によれば、作業の効率化が可能な種子交換式播種機の残種子回収機構を提供することができる。
【図面の簡単な説明】
【００１７】
【図１】本考案の一実施の形態による種子交換式播種機の残種子回収機構を備えたトラクタの全体構成例を示す斜視図である。
【図２】本実施の形態による播種機のホッパーと残種子集約部との配置例を示す図である。
【図３】本実施の形態による種子投入工程例の概要を示す斜視図である。
【図４】本実施の形態による播種後の種子回収作業（１）の一例を示す正面図である。
【図５】本実施の形態による残種子を回収するための機構例を示す図である。
【図６】図６は、図４の破線で示した領域Ｄの拡大図である。
【図７】本実施の形態による種子回収作業（２）の一例を示す図である。
【考案を実施するための形態】
【００１８】
本明細書においては、播種対象として小麦を例にして説明するが、米、大麦など他の種子の播種に適用することができ、播種対象は小麦に限定されるものではない。
また、残種子とは、播種後に残った種子を指す。ホッパー内の残種子すべてを出した後に次の種子を入れるようにする。
【００１９】
トラクタ等の後部に、市販の「播種機  ごんべえ」を装備し播種する方法では、例えば、一度の駆動（動作）により４条を播種することができる。
【００２０】
「ごんべえ４条播種機」を用いると、各区の種子の播きはじめには、畑の４条にそれぞれ対応した４つのホッパーに、例えばそれぞれ異なる品種の小麦の種子を入れた後に、それぞれに設けられた播種ベルトを空回しして播種開始位置まで種子が充填されるようにする必要があった。また、小麦の種子の播き終わりには各ホッパーとベルトとを取り外し、ホッパーをひっくり返して小麦の種子をバットなどに集めた後、回収ボトルに戻さなければならなかった。そのために、それぞれの種子の交換用に４名程度の作業者が必要であり、また、播種時間に面積１０アール（１０ａ）で３時間の所要時間が必要である。
以下の本考案の実施の形態について図面を参照しながら詳細に説明する。
【００２１】
図１は、本実施の形態による種子交換式播種機の残種子回収機構を備えたトラクタの全体構成例を示す斜視図である。図１においては、トラクタ自体は図面の左側に配置されるが、ここでは、図示を省略し、符号Ｔで示した。また、図２は、播種機のホッパーと残種子集約部との配置を示す図である。
【００２２】
図１に示すように、本実施の形態による種子交換式播種機の播種部Ｂと残種子回収機構Ｃを備えた種子交換式播種機Ａは、例えば、播種部Ｂと残種子回収機構Ｃと、４条分の駆動輪１と、鎮圧輪３と、有している。播種機フレームＦには、例えば、種子を入れる容器７を収容する収容部５を有している。播種部Ｂには、異なる種子を播種できるように設けられた例えば４条分の４つのホッパー１１と、各ホッパー１１から鉛直方向の下方に向けて連通する例えばアクリル製のパイプ１５と、回収樋３１と、を有している。回収樋３１の詳細については後述する。
【００２３】
図２に示すように、ホッパー１１は、回転軸１１ａを中心に垂直方向上側の開口が上向きから下向きになるように、すなわち、ホッパー１１内の残種子が残種子集約部２５に落下して残種子が残種子集約部２５内に入るように回動可能になっている（矢印ＡＲ１参照）。そして、ホッパー１１を鉛直方向に立てた状態（鉛直方向の上方に開口が位置する状態）Ｐ１において、種子を開口からホッパー１１内に入れ、回転軸１１ａを中心にホッパー１１を回動させてＰ２のように、開口から種子が落下する状態とし、残種子集約部２５の上方に開口する開口部２５ａに残種子を入れることができる。
【００２４】
尚、図２に示すように、鉛直方向を基準としたホッパー１１の傾きが大きくなるに従ってホッパー１１は残種子集約部２５に近づく。そこで、残種子集約部２５には、ホッパー１１を傾けるにつれて近づき当たってしまうホッパー１１の少なくとも一部が残種子集約部２５の外周側面に当たらないように外周側面に切り込みを形成することでホッパー１１の一部の通過を許容して一部を収容するホッパー収容部２５ｄが形成されている。すなわち、ホッパー収容部２５ｄにより、傾くに従って残種子集約部２５の外側壁に近づくホッパー１１と残種子集約部２５との重なりを受容する。このような構成により、ホッパー１１から溢れる残種子を残種子集約部２５内にスムーズに移すことができる。
【００２５】
また、残種子集約部２５には鉛直方向の下方に向けて形成された種子の通路である集約部２５ｂと下方に開口する開口部２５ｃとが形成され、残種子を鉛直方向の下方の開口から落とし、後述する回収桶の受け漏斗に回収させることができるように構成されている。
【００２６】
尚、残種子集約部２５には、例えば残種子集約部２５の側部周面を囲むように把持するリング状の留め具２６と、この留め具２６と、後述する回収樋３１とを固定する支柱６１とが設けられて、装置に固定できるようにしても良い。支柱６１は、図１や図３に示すように、ホッパー１１，残種子集約部２５，回収樋３１の全てを播種機フレームＦにより支持している。
以下、本実施の形態による種子交換式播種機の動作の流れに沿って、各部の構成について説明する。
【００２７】
（１）種子投入作業
図３は、種子投入工程の概要を示す斜視図である。播種部分（播種部）に公知の播種量調製式スライドロール２３を用い、その上部に、例えば、アクリル製の種子を入れるホッパー１１を有している。播種部は、例えば、スライドロール２３の前後を挟む形で密着するブラシを設け、種子回収時にホッパー１１を後方に倒した時にスライドロール２３の外周に沿って動く、このブラシより種子繰出し手前側にスライドロール２３と共に種子を溜め且つホッパー１１から落下する種子をスライドロール２３へ案内供給する種子案内部を形成し、この種子案内部の上方にホッパー１１の開口部を配置して構成されている。
【００２８】
図３に示すように、播種部を構成するスライドロール２３と連結するホッパー１１内に、例えば種子容器２１から種子を入れる。この際、ホッパー１１を後述する図５のように倒した状態では、その下方に種子の受け部を形成する残種子集約部２５が配置されている。その場合には、種子を残種子集約部２５において受けることができる。
【００２９】
（２）播種作業
図示しないが、ホッパー１１から供給される種子を畑の４条にそれぞれ播種する。
【００３０】
（３）種子回収作業１
図４は、播種後の種子回収作業（１）の概要を示す正面図である。図５は、図４に示すように、残種子を回収するための機構を示す図である。図６は、図４の破線で示した領域Ｄの拡大図である。
【００３１】
図４から図６までに示すように、残種子を回収するための機構は、円筒上の回収樋３１に４箇所形成された受け漏斗３３と、回収樋３１内を見るための窓部３５と、を有している。さらに、回収樋３１の円筒の両端には、蓋部３７，３８がそれぞれ設けられている。残種子集約部２５は、残種子集約部２５側の留め具２６と、回収樋３１が支柱６１により支持されている。回収樋３１の一端側近傍Ｅには、回収樋３１を支持するストッパー兼用ガイド部４（支持部）が、形成されている。ストッパー兼用ガイド部４において、通常はストッパー部４ａが回収樋３１を水平方向に支持し、ガイド部４ｂが上部方向に緩やかに曲げられている。そして、ストッパー兼用ガイド部４側の回収樋３１が、矢印ＡＲ２に示すように、持ち上がるように構成されている。回収樋３１の他端側近傍Ｄには、回収樋３１を支持する蝶番７１と蝶番留め部７３とが配置され、回収樋３１の回動軸を形成する。
ホッパー１１に残った残種子は、図５に示す機構により、ホッパー１１内から落下して例えば塩ビ製の回収樋３１に収容される。
【００３２】
（４）種子回収作業２
図７は、種子回収作業（２）を示す図である。図７に示すように、回収樋３１の他端側近傍Ｄを回動軸として、回収樋３１の一端（蓋３８側：把持部）Ｅを把持して持ち上げると、回収樋３１内の中空部内の種子が他端（蝶番７１側）に移動する。そして、例えば一端側の蓋３８により開口を塞いだまま、他端側（蝶番７１側）の蓋部３７を開けて、他端側（蝶番７１側）に取り付けた回収ボトル５１内に残種子を回収する。
【００３３】
以上のように、本実施の形態によれば、作業の効率化が可能な種子交換式播種機の残種子回収機構を提供することができる。
【００３４】
種子をホッパー１１に入れれば自動的に播種開始位置まで種子が充填されるようになり、空回しの手間が減る。
【００３５】
また、種子回収を容易にするため、播種機後方下部に回収樋３１を取り付け、播種部分を後方に倒すと種子が回収樋３１に落ちるようにした。これにより、播種部分を例えば数回倒せば種子がすべて回収樋３１に収まる。この回収樋３１は片側を持ち上げることができ、もう一方を回収ボトル５１で受ければ種子が回収できる。
【００３６】
このように、ホッパー１１に残った種子をホッパー毎に排出し、片手で回収樋３１の一端を持ち上げるだけで一括して残種子を集める機構とすることで、残種子を効率良く回収することができるため、残種子回収作業が簡単になる。
特に、小区画で頻繁に種子交換を行う播種作業において、種子のセットと回収に要する時間が短くて済むという利点がある。
【００３７】
また、本考案によれば、小規模の播種を行う試験用の装置において、種子ホッパー内の種子を異なる種子に入れ替えることがスムーズになる。例えば、作業者２名で操作が可能であり、播種作業全体に要する作業時間も、面積が１０アール（１０ａ）の場合で、３時間から２時間３０分に短縮することができた。従って、交換回収作業に要する時間は大幅に短縮できている。
【００３８】
尚、本考案においては、他端側（Ｄ）の開口を固定可能に塞ぐ開口部を有する回収ボトル５１を取り付ける回収ボトル取り付け部５３を有するようにしても良い。回収ボトル取り付け部５３(図７の５３で示す破線部)を設けても良い。この際、回収ボトル取り付け部５３は、回収樋３１の一部を成しており、回収樋３１を本体部から取り外し可能に構成されていても良い。
【００３９】
上記の実施の形態において、添付図面に図示されている構成等については、これらに限定されるものではなく、本考案の効果を発揮する範囲内で適宜変更することが可能である。その他、本考案の目的の範囲を逸脱しない限りにおいて適宜変更して実施することが可能である。
また、本考案の各構成要素は、任意に取捨選択することができ、取捨選択した構成を具備する考案も本考案に含まれるものである。
【産業上の利用可能性】
【００４０】
本考案は、種子の回収機構等に利用可能である。
【符号の説明】
【００４１】
Ａ  残種子回収機構を備えた種子交換式播種機
Ｂ  播種部
Ｃ  残種子回収機構
Ｄ  回収樋の他端側（回動軸側）
Ｅ  回収樋の一端側（持ち上げ側の端部，把持部）
Ｆ  播種機フレーム
Ｔ  トラクタ
１  駆動輪
３  鎮圧輪
４  ストッパー兼用ガイド部（支持部）
５  収容部
７  種子を入れる容器
１１  ホッパー
１１ａ  回転軸
１５  アクリル製のパイプ
２３  スライドロール（播種部）
２５  残種子集約部
２５ａ  第１開口部
２５ｂ  集約部    
２５ｃ  第２開口部
２５ｄ  ホッパー収容部
２６  留め具
３１  回収樋
３３  受け漏斗
３５  窓部
３７，３８  蓋部
５１  回収ボトル
５３  回収ボトル取り付け部
６１  支柱
７１  蝶番
７３  蝶番留め部
【図１】
0003218549.tif 000003
【図２】
0003218549.tif 000004
【図３】
0003218549.tif 000005
【図４】
0003218549.tif 000006
【図５】
0003218549.tif 000007
【図６】
0003218549.tif 000008
【図７】
0003218549.tif 000009
【手続補正書】
【提出日】平成30年8月27日(2018.8.27)
【手続補正１】
【補正対象書類名】実用新案登録請求の範囲
【補正対象項目名】全文
【補正方法】変更
【補正の内容】
【実用新案登録請求の範囲】
【請求項１】
種子交換式播種機の残種子回収機構であって、
播種機に配置され各条毎に設けられた播種部と、
播種機の前記播種部よりも下部に配置された円筒状の回収樋であって、前記播種部から落下する種子のうち播種されずに残った残種子を受け入れて収容し、前記回収樋の一端側は、他端側を回動軸として上方に持ち上げ可能とされた回収樋と、
前記回収樋の少なくとも他端側の開口を開閉可能に塞ぐ蓋部と、を有する種子交換式播種機の残種子回収機構。
【請求項２】
前記播種部は、
種子を収容し、回転軸を中心に回動可能なホッパーと、
前記ホッパーを回動させた際に、残種子を受け入れる第１の開口部を有する残種子集約部であって、下方に残種子を導入する第２の開口部を有する残種子集約部と、を有し、
前記回収樋は、前記第２の開口部から落下する残種子を受ける受け漏斗部を備えることを特徴とする請求項１に記載の種子交換式播種機の残種子回収機構。
【請求項３】
前記一端側には、前記回収樋を支持する支持部が設けられている請求項１又は２に記載の種子交換式播種機の残種子回収機構。
【請求項４】
前記残種子集約部は、各条用の播種部の後部に配置されている請求項２に記載の種子交換式播種機の残種子回収機構。
【請求項５】
前記回収樋の前記他端側の開口を固定可能に塞ぐ開口部を有する回収ボトルを取り付ける回収ボトル取り付け部を有する請求項２から４までのいずれか１項に記載の種子交換式播種機の残種子回収機構。
【請求項６】
前記残種子集約部と前記回収樋とを、前記残種子集約部の前記第１の開口部が前記受け漏斗部の受け部領域内に入るように固定する固定部を有する請求項２に記載の種子交換式播種機の残種子回収機構。
【請求項７】
前記残種子集約部に、鉛直方向を基準とした前記ホッパーの傾きが大きくなるに従って近づく前記ホッパーを収容するホッパー収容部が形成されている請求項２に記載の種子交換式播種機の残種子回収機構。
【請求項８】
前記残種子集約部に、前記残種子集約部の側部周面を囲むように把持するリング状の留め具と、前記留め具を固定する支柱とが設けられていることを特徴とする請求項２に記載の残種子回収機構。
【請求項９】
残種子回収機構を有する種子交換式播種機であって、
播種機に配置され各条毎に設けられた播種部と、
播種機の前記播種部よりも下部に配置された円筒状の回収樋であって、前記播種部から落下する種子のうち播種されずに残った残種子を受け入れて収容し、前記回収樋の一端側は、他端側を回動軸として上方に持ち上げ可能とされた回収樋と、
前記回収樋の少なくとも前記他端側の開口を開閉可能に塞ぐ蓋部と、を有する種子交換式播種機。
【請求項１０】
前記播種部は、
種子を収容し、回転軸を中心に回動可能なホッパーと、
前記ホッパーを回動させた際に、残種子を受け入れる第１の開口部を有する残種子集約部であって、下方に残種子を導入する第２の開口部を有する残種子集約部と、を有し、
前記回収樋は、前記第２の開口部から落下する残種子を受ける受け漏斗部を備えることを特徴とする請求項９に記載の種子交換式播種機。